(57)【要約】【課題】洗浄対象物の洗浄における作業効率をさらに高めた洗浄装置および洗浄システムを提供する。【解決手段】洗浄装置２は、蒸気噴射路５２と、蒸気噴射口５１と、湯水噴射路４２と、湯水噴射口４１とを有し、蒸気噴射路５２は蒸気噴射口５１に蒸気を供給し、蒸気噴射口５１は供給された蒸気を洗浄対象物Ｗに向けて噴射し、湯水噴射路４２は湯水噴射口４１に湯水を供給し、湯水噴射口４１は供給された湯水を洗浄対象物Ｗに向けて噴射する。洗浄システムは、洗浄装置２と、洗浄装置２に蒸気と湯水とを供給する蒸気・湯水併給装置とを有する。【選択図】図３
2017140599.tif 000002
【特許請求の範囲】
【請求項１】
蒸気噴射路と、蒸気噴射口と、湯水噴射路と、湯水噴射口とを有し、
前記蒸気噴射路は、前記蒸気噴射口に蒸気を供給し、
前記蒸気噴射口は、供給された蒸気を洗浄対象物に向けて噴射し、
前記湯水噴射路は、前記湯水噴射口に湯水を供給し、
前記湯水噴射口は、供給された湯水を洗浄対象物に向けて噴射する、洗浄装置
【請求項２】
前記蒸気噴射口からの蒸気の噴射の開始および停止の操作と、前記湯水噴射口からの湯水の噴射の開始および停止の操作とを受け付ける噴射操作部と、
前記噴射操作部からの前記操作に基づく信号に応じて、前記蒸気噴射口からの蒸気の噴射の開始および停止と、前記湯水噴射口からの湯水の噴射の開始および停止とを制御する噴射制御部とを有する請求項１に記載の洗浄装置。
【請求項３】
使用者が把持する部位である把持部位を有し、前記噴射操作部が前記把持部位に配置されている請求項２に記載の洗浄装置。
【請求項４】
前記噴射操作部が、前記洗浄装置の使用者が足で操作するフットスイッチである請求項２に記載の洗浄装置。
【請求項５】
前記噴射操作部が、前記蒸気噴射口からの蒸気の噴射の強度の操作を受け付けて、
前記噴射制御部が、前記噴射操作部からの前記操作に基づく信号に応じて、前記蒸気噴射口からの蒸気の噴射の強度を制御する請求項２〜４のいずれか一項に記載の洗浄装置。
【請求項６】
前記噴射操作部が、前記湯水噴射口からの湯水の噴射の強度の操作を受け付けて、
前記噴射制御部が、前記噴射操作部からの前記操作に基づく信号に応じて、前記湯水噴射口からの湯水の噴射の強度を制御する請求項２〜５のいずれか一項に記載の洗浄装置。
【請求項７】
供給された洗剤を洗浄対象物に向けて噴射する洗剤噴射口を有する請求項１〜６のいずれか一項に記載の洗浄装置。
【請求項８】
前記湯水噴射口から噴射する湯水の温度の操作を受け付ける温度操作部と、
前記温度操作部からの前記操作に基づく信号に応じて、前記湯水噴射口から噴射する湯水の温度を制御する温度制御部とを有する請求項１〜７のいずれか一項に記載の洗浄装置。
【請求項９】
請求項１〜８のいずれか一項に記載の洗浄装置と、
前記洗浄装置に蒸気と湯水とを供給する蒸気・湯水併給装置と、
前記洗浄装置に供給される湯水が通流する装置間湯水供給路と、
前記洗浄装置に供給される蒸気が通流する装置間蒸気供給路と、
前記装置間湯水供給路および前記装置間蒸気供給路の周囲に配置された断熱材とを有する洗浄システム。
【請求項１０】
前記蒸気・湯水併給装置を内部に収容する筐体と、
前記装置間湯水供給路と前記装置間蒸気供給路と前記断熱材とを内側に収容する接続管とを有し、
前記洗浄装置は、非使用時に前記洗浄装置が配置される収納位置と、使用時に洗浄装置が配置される使用位置との間で移動可能に構成され、
前記洗浄装置が前記収納位置に配置される際、前記接続管が前記筐体の内部に収容される請求項９に記載の洗浄システム。
【発明の詳細な説明】
【技術分野】
【０００１】
本発明は、台所や浴室等の水廻り、厨房、床の清掃などで使用する洗浄装置および洗浄システムに関する。
【背景技術】
【０００２】
電気ヒータ等を用いて内部の水を蒸発させてスチームを発生させ、洗浄対象物に吹き付けて汚れを落とすスチーム洗浄機が提案されている。例えば特許文献１のスチーム洗浄機では、蒸気発生ユニットから送出された蒸気が、蒸気洗浄アプリケータの先端から放出される。放出された蒸気を洗浄対象物に当てることにより、洗浄対象物に付着した汚れ等を柔らかくして、さらには洗浄対象物の表面から浮き上がった状態にすることができる。
【先行技術文献】
【特許文献】
【０００３】
【特許文献１】実用新案登録第３１６０３５４号公報
【発明の概要】
【発明が解決しようとする課題】
【０００４】
放出された蒸気は、急速に熱を失って温度が低下する。このため、１００℃程度の高い温度を維持できるのは、蒸気の噴出口の近くに限られる。そうすると、汚れの程度によっては噴出口を洗浄対象物の近くに位置する必要がある。従って広い範囲を洗浄する場合には、蒸気のみの洗浄では作業の能率が低くなる。
【０００５】
またスチーム洗浄機は、蒸気により汚れを浮き上がらせることが可能であるが、浮き上がった汚れを除去するには、布巾やモップ等を用いて拭き取る必要がある。その場合、布巾等が大量に必要となったり、拭き取りの際に汚れが洗浄対象物に再び付着する等の問題が生じる場合がある。
【０００６】
本発明は上述の課題に鑑みてなされたものであり、その目的は、洗浄対象物の洗浄における作業効率をさらに高めた洗浄装置および洗浄システムを提供することにある。
【課題を解決するための手段】
【０００７】
上記目的を達成するための洗浄装置の特徴構成は、蒸気噴射路と、蒸気噴射口と、湯水噴射路と、湯水噴射口とを有し、前記蒸気噴射路は、前記蒸気噴射口に蒸気を供給し、前記蒸気噴射口は、供給された蒸気を洗浄対象物に向けて噴射し、前記湯水噴射路は、前記湯水噴射口に湯水を供給し、前記湯水噴射口は、供給された湯水を洗浄対象物に向けて噴射する点にある。
【０００８】
上記の特徴構成によれば、洗浄装置が、供給された蒸気を洗浄対象物に向けて噴射する蒸気噴射口と、供給された湯水を洗浄対象物に向けて噴射する湯水噴射口とを有するから、洗浄装置から洗浄対象物に対して蒸気と湯水の両方を噴出させることができる。そうすると、一つの洗浄装置によって、蒸気で洗浄対象物から浮き上がらせた汚れ等を、湯水により洗浄対象物から洗い流すことが可能となる。従って、洗浄対象物の洗浄における作業効率をさらに高めることができる。
【０００９】
本発明に係る洗浄装置の別の特徴構成は、前記蒸気噴射口からの蒸気の噴射の開始および停止の操作と、前記湯水噴射口からの湯水の噴射の開始および停止の操作とを受け付ける噴射操作部と、前記噴射操作部からの前記操作に基づく信号に応じて、前記蒸気噴射口からの蒸気の噴射の開始および停止と、前記湯水噴射口からの湯水の噴射の開始および停止とを制御する噴射制御部とを有する点にある。
【００１０】
上記の特徴構成によれば、洗浄装置が噴射操作部と噴射制御部とを有することによって、洗浄装置の使用者が洗浄対象物に対する蒸気と湯水の噴出を自在に制御することが可能となり、洗浄対象物の洗浄における作業効率をさらに高めることができる。
【００１１】
本発明に係る洗浄装置の別の特徴構成は、使用者が把持する部位である把持部位を有し、前記噴射操作部が前記把持部位に配置されている点にある。
【００１２】
上記の特徴構成によれば、噴射操作部が把持部位に配置されているから、洗浄装置の使用者は、洗浄装置を把持する手で噴射操作部を操作することが可能となり、洗浄対象物の洗浄における作業効率をさらに高めることができる。
【００１３】
本発明に係る洗浄装置の別の特徴構成は、前記噴射操作部が、前記洗浄装置の使用者が足で操作するフットスイッチである点にある。
【００１４】
上記の特徴構成によれば、洗浄装置の使用者はフットスイッチを足で操作して蒸気および湯水の噴射を制御することができ、洗浄対象物の洗浄における作業効率をさらに高めることができる。
【００１５】
本発明に係る洗浄装置の別の特徴構成は、前記噴射操作部が、前記蒸気噴射口からの蒸気の噴射の強度の操作を受け付けて、前記噴射制御部が、前記噴射操作部からの前記操作に基づく信号に応じて、前記蒸気噴射口からの蒸気の噴射の強度を制御する点にある。
【００１６】
上記の特徴構成によれば、洗浄装置の使用者が噴射操作部を操作することで蒸気噴射口からの蒸気の噴射の強度を操作することができるから、蒸気の噴射の強度を容易に変更することができ、洗浄対象物の洗浄における作業効率をさらに高めることができる。
【００１７】
本発明に係る洗浄装置の別の特徴構成は、前記噴射操作部が、前記湯水噴射口からの湯水の噴射の強度の操作を受け付けて、前記噴射制御部が、前記噴射操作部からの前記操作に基づく信号に応じて、前記湯水噴射口からの湯水の噴射の強度を制御する点にある。
【００１８】
上記の特徴構成によれば、洗浄装置の使用者が噴射操作部を操作することで湯水噴射口からの湯水の噴射の強度を操作することができるから、湯水の噴射の強度を容易に変更することができ、洗浄対象物の洗浄における作業効率をさらに高めることができる。
【００１９】
本発明に係る洗浄装置の別の特徴構成は、供給された洗剤を洗浄対象物に向けて噴射する洗剤噴射口を有する点にある。
【００２０】
上記の特徴構成によれば、洗浄装置が、蒸気噴射口と湯水噴射口とに加えて洗剤噴射口を有するから、洗浄装置から洗浄対象物に対して蒸気と湯水と洗剤とを噴出させることができる。従って洗浄対象物の汚れを洗剤を用いて除去することが容易になり、洗浄対象物の洗浄における作業効率をさらに高めることができる。
【００２１】
本発明に係る洗浄装置の別の特徴構成は、前記湯水噴射口から噴射する湯水の温度の操作を受け付ける温度操作部と、前記温度操作部からの前記操作に基づく信号に応じて、前記湯水噴射口から噴射する湯水の温度を制御する温度制御部とを有する点にある。
【００２２】
上記の特徴構成によれば、洗浄装置が温度操作部と温度制御部とを有することによって、洗浄装置の使用者が洗浄対象物に噴射する湯水の温度を自在に制御することが可能となり、洗浄対象物の洗浄における作業効率をさらに高めることができる。
【００２３】
上記目的を達成するための洗浄システムの特徴構成は、上述の洗浄装置と、前記洗浄装置に蒸気と湯水とを供給する蒸気・湯水併給装置と、前記洗浄装置に供給される湯水が通流する装置間湯水供給路と、前記洗浄装置に供給される蒸気が通流する装置間蒸気供給路と、前記装置間湯水供給路および前記装置間蒸気供給路の周囲に配置された断熱材とを有する点にある。
【００２４】
上記の特徴構成によれば、洗浄システムは洗浄装置と蒸気・湯水併給装置とを有し、装置間湯水供給路および装置間蒸気供給路の周囲に配置された断熱材を有するから、蒸気・湯水併給装置から洗浄装置へ供給される蒸気および湯水からの放熱を抑制することができ、洗浄システムの省エネルギー性を高めることができる。また、装置間湯水供給路および装置間蒸気供給路の周囲に断熱材が配置されるから、高温になる装置間湯水供給路および装置間蒸気供給路に洗浄システム１００の使用者が触れて火傷する可能性を低減して、洗浄システムの安全性を高めることができる。
【００２５】
本発明に係る洗浄システムの別の特徴構成は、前記蒸気・湯水併給装置を内部に収容する筐体と、前記装置間湯水供給路と前記装置間蒸気供給路と前記断熱材とを内側に収容する接続管とを有し、前記洗浄装置は、非使用時に前記洗浄装置が配置される収納位置と、使用時に洗浄装置が配置される使用位置との間で移動可能に構成され、前記洗浄装置が前記収納位置に配置される際、前記接続管が前記筐体の内部に収容される点にある。
【００２６】
上記の特徴構成によれば、洗浄装置が収納位置に配置される際、接続管を筐体の内部に収容して洗浄システムをコンパクトにすることができ、洗浄システムの省スペース化を実現し、併せて洗浄システムの美観を向上することができる。
【図面の簡単な説明】
【００２７】
【図１】洗浄装置、蒸気・湯水併給装置および洗浄システムの概要を示す概略図
【図２】洗浄システムの概要を示す概略図
【図３】洗浄装置の概要を示す概略図
【図４】蒸気・湯水併給装置の概要を示す概略図
【発明を実施するための形態】
【００２８】
（第１実施形態）
以下、図１〜３を参照しつつ、第１実施形態に係る洗浄システム、蒸気・湯水併給装置および消費端末としての洗浄装置について説明する。
【００２９】
（洗浄システム）
洗浄システム１００は、蒸気・湯水併給装置１と、洗浄装置２とを有する。蒸気・湯水併給装置１は、供給された湯水を加熱して蒸気を生成し、蒸気を洗浄装置２（消費端末）へ供給する蒸気生成部２０と、供給された湯水を加熱して洗浄装置２（消費端末）へ供給する湯水生成部１０とを有する。洗浄装置２は、供給された蒸気を洗浄対象物Ｗに向けて噴射する蒸気噴射口５１と、供給された湯水を洗浄対象物Ｗに向けて噴射する湯水噴射口４１とを有する。
【００３０】
洗浄システム１００は、例えばシステムキッチン等に備えられて、洗浄対象物Ｗに付着した汚れのシンク９での洗浄に用いられる。蒸気・湯水併給装置１は、システムキッチンの筐体３の内部に配置される。洗浄装置２は、筐体３の外部に配置される。蒸気・湯水併給装置１が有する制御部Ｃ１と、洗浄装置２が有する洗浄装置制御部Ｃ２とは、有線または無線の通信手段により接続され、運転の開始／停止や温度設定等の情報・指示等の通信を行う。
【００３１】
蒸気・湯水併給装置１と洗浄装置２との間は、装置間湯水供給路５と装置間蒸気供給路６とによって接続される。装置間湯水供給路５と装置間蒸気供給路６とは、耐熱性、耐圧性、可撓性を有する管状の部材により構成され、例えば樹脂製のチューブや、フレキシブルホースなどが用いられる。蒸気・湯水併給装置１の湯水生成部１０で生成された湯水が、装置間湯水供給路５を通流して、洗浄装置２に供給される。蒸気・湯水併給装置１の蒸気生成部２０で生成された蒸気が、装置間蒸気供給路６を通流して、洗浄装置２に供給される。
【００３２】
装置間湯水供給路５と装置間蒸気供給路６とは、それぞれが断熱材７に包まれた状態で、接続管４の内側に収納されている。断熱材７は、発泡ウレタン等の柔軟な材料で構成される。断熱材７は、装置間湯水供給路５および装置間蒸気供給路６から接続管４の外への熱の放出を抑制し、加えて、装置間湯水供給路５と装置間蒸気供給路６との間に配置されることで、装置間蒸気供給路６から装置間湯水供給路５へ熱が逃げることも抑制している。接続管４は、可撓性を有する管状の部材であり、装置間湯水供給路５と装置間蒸気供給路６と断熱材７とを内側に収容する。
【００３３】
筐体３の上面には、洗浄装置２を保持するホルダ８が配置されている。図２に示すように、洗浄装置２の非使用時にホルダ８によって、洗浄装置２を収納位置Ｐ１に配置することができる。このとき、洗浄装置２から延びる接続管４は、図２に示すように、ホルダ８の上面の図示しない穴を通って筐体３の内側に収容される。
【００３４】
以上の様に構成された洗浄システム１００は、概略次のように用いられる。まず洗浄システム１００を起動して、蒸気・湯水併給装置１での蒸気および湯水の生成を開始する。そして洗浄装置２を図１に示す使用位置Ｐ２（例えばシンク９の上方）へ移動させて配置し、洗浄装置２から蒸気と湯水とを交互に（または同時に）噴出させ、洗浄対象物Ｗの洗浄を行う。洗浄が終了したら、蒸気と湯水との噴出を停止し、洗浄装置２を図２に示す収納位置Ｐ１に移動させて配置し、洗浄システム１００の運転を終了する。
【００３５】
（洗浄システムのまとめ）
以上述べた通り洗浄システム１００は、洗浄装置２と、洗浄装置２に蒸気と湯水とを供給する蒸気・湯水併給装置１と、洗浄装置２に供給される湯水が通流する装置間湯水供給路５と、洗浄装置２に供給される蒸気が通流する装置間蒸気供給路６と、装置間湯水供給路５および装置間蒸気供給路６の周囲に配置された断熱材７とを有する。
【００３６】
上記の構成によれば、蒸気・湯水併給装置１から洗浄装置２へ供給される蒸気および湯水からの放熱を抑制することができ、洗浄システム１００の省エネルギー性を高めることができる。また、装置間湯水供給路５および装置間蒸気供給路６の周囲に断熱材７が配置されるから、高温になる装置間湯水供給路５および装置間蒸気供給路６に洗浄システム１００の使用者が触れて火傷する可能性を低減して、洗浄システム１００の安全性を高めることができる。
【００３７】
また洗浄システム１００は、蒸気・湯水併給装置１を内部に収容する筐体３と、装置間湯水供給路５と装置間蒸気供給路６と断熱材７とを内側に収容する接続管４とを有し、洗浄装置２は、非使用時に洗浄装置２が配置される収納位置Ｐ１と、使用時に洗浄装置２が配置される使用位置Ｐ２との間で移動可能に構成され、洗浄装置２が収納位置Ｐ１に配置される際、接続管４が筐体３の内部に収容される。
【００３８】
上記の構成によれば、洗浄装置２が収納位置Ｐ１に配置される際、接続管４を筐体３の内部に収容して洗浄システム１００をコンパクトにすることができ、洗浄システム１００の省スペース化を実現し、併せて洗浄システム１００の美観を向上することができる。
【００３９】
（蒸気・湯水併給装置）
図１に示される蒸気・湯水併給装置１は、湯水生成部１０と蒸気生成部２０と制御部Ｃ１とを有し、生成した蒸気と湯水とを洗浄装置２（消費端末）に供給する。制御部Ｃ１は、図示しない操作部や、後述する洗浄装置２の洗浄装置制御部Ｃ２からの信号を受けて、湯水生成部１０および蒸気生成部２０の運転を制御する。制御部Ｃ１は、演算装置や記憶装置等により構成される。
【００４０】
（湯水生成部１０）
湯水生成部１０は、湯水加熱槽としての湯水生成タンク１１と、湯水加熱部１４とを有する。そして湯水生成タンク１１に、湯水供給路１２と、湯水排出路１３と、装置間湯水供給路５と、連結供給路３０とが接続されている。
【００４１】
湯水生成タンク１１は、内部に湯水を貯留するタンクである。湯水生成タンク１１の内部に湯水加熱部１４が配置されており、湯水生成タンク１１の内部の湯水が湯水加熱部１４によって加熱される。湯水加熱部１４は、例えば内部を高温の暖房水が通流する熱交換器である。暖房水は、図示しないコージェネレーション装置やボイラ等から供給され、その供給は制御部Ｃ１により制御される。すなわち湯水加熱部１４は制御部Ｃ１により制御され、湯水生成タンク１１の内部の湯水が加熱される。湯水生成タンク１１の内部には、湯水生成タンク１１に貯留された湯水の量および温度を検知して制御部Ｃ１に通知する水量センサＲ１および温度センサＴ１が配置されている。
【００４２】
湯水供給路１２は、図示しない外部の給湯装置からの湯水を、湯水生成タンク１１に供給する。すなわち湯水生成部１０の湯水生成タンク１１には、ガスコージェネレーション装置やボイラ等の給湯装置によって、水道水を加熱して生成された湯（例えば、４０℃の湯）が供給される。湯水供給路１２には、湯水供給バルブ１２ａが配置されている。湯水供給バルブ１２ａは、制御部Ｃ１によって制御され、開閉および開度の調整により、湯水生成タンク１１への湯水の供給を制御する。
【００４３】
湯水排出路１３は、湯水生成タンク１１の内部の湯水を外部に排出する。湯水排出路１３には、湯水排出バルブ１３ａが配置されている。湯水排出バルブ１３ａは、制御部Ｃ１によって制御され、開閉および開度調整により湯水生成タンク１１からの湯水の排出を制御する。
【００４４】
装置間湯水供給路５は、湯水生成タンク１１の内部の湯水を、洗浄装置２へ供給する。装置間湯水供給路５には、装置間湯水供給ポンプ５ａが配置されている。装置間湯水供給ポンプ５ａは、制御部Ｃ１によって制御され、湯水を洗浄装置２へ向けて送出する。
【００４５】
連結供給路３０は、湯水生成タンク１１の内部の湯水を、後述する蒸気生成タンク２１に供給する。連結供給路３０には、連結供給バルブ３０ａと連結供給ポンプ３０ｂとが配置されている。連結供給バルブ３０ａは、制御部Ｃ１によって制御され、開閉および開度調整により湯水生成タンク１１からの湯水の蒸気生成タンク２１への供給を制御する。連結供給ポンプ３０ｂは、制御部Ｃ１によって制御され、湯水を蒸気生成タンク２１へ向けて送出する。
【００４６】
（蒸気生成部２０）
蒸気生成部２０は、蒸気生成タンク２１と、蒸気用湯水ヒータ２４とを有する。そして蒸気生成タンク２１に、蒸気用湯水排出路２３と、装置間蒸気供給路６と、連結供給路３０とが接続されている。
【００４７】
蒸気生成タンク２１は、内部に湯水を貯留するタンクである。蒸気生成タンク２１の内部に蒸気用湯水ヒータ２４が配置されており、蒸気生成タンク２１の内部の湯水が蒸気用湯水ヒータ２４によって加熱される。蒸気用湯水ヒータ２４は、例えば通電により発熱する電気ヒータであり、制御部Ｃ１によって制御される。蒸気生成タンク２１には、蒸気生成タンク２１に貯留された湯水の量および温度を検知して制御部Ｃ１に通知する水量センサＲ２および温度センサＴ２が備えられている。
【００４８】
連結供給路３０を通じて、湯水生成タンク１１から蒸気生成タンク２１へ、湯水生成タンク１１で加熱された湯水が供給される。
【００４９】
蒸気用湯水排出路２３は、蒸気生成タンク２１の内部の湯水を外部に排出する。蒸気用湯水排出路２３には、蒸気用湯水排出バルブ２３ａが配置されている。蒸気用湯水排出バルブ２３ａは、制御部Ｃ１によって制御され、開閉および開度調整により蒸気生成タンク２１からの湯水の排出を制御する。
【００５０】
装置間蒸気供給路６は、蒸気生成タンク２１の内部の蒸気を、洗浄装置２へ供給する。
【００５１】
（蒸気・湯水併給装置の動作）
以下、洗浄システム１００の起動から運転停止までを例として、蒸気・湯水併給装置１の動作を説明する。なお洗浄システム１００の起動時、湯水生成タンク１１および蒸気生成タンク２１に湯水は貯留されていないものとする。
【００５２】
（湯水生成部での湯水の生成）
洗浄システム１００が起動されると、洗浄装置２に湯水が供給可能な状態とすべく、湯水生成部１０での湯水の生成が開始される。まず湯水供給バルブ１２ａが開かれて、湯水供給路１２から湯水生成タンク１１へ湯水が供給される。制御部Ｃ１が、湯水生成タンク１１に供給されて貯留される湯水の量および温度を水量センサＲ１および温度センサＴ１により検出・監視する。貯留された湯水の温度が所定の閾値温度（例えば、４０℃）よりも低い場合、湯水排出バルブ１３ａが開かれて、湯水排出路１３から湯水が排出される。
【００５３】
湯水生成タンク１１に貯留された湯水の温度が所定の閾値温度（例えば、４０℃）よりも高くなると、湯水排出バルブ１３ａが閉じられて、湯水排出路１３からの湯水の排出が停止される。そして湯水加熱部１４に通電が開始されて、湯水生成タンク１１の内部の湯水の加熱が開始される。
【００５４】
なお湯水加熱部１４による湯水の加熱は、湯水供給路１２から湯水生成タンク１１への湯水の供給が開始された時点で、開始してもよい。
【００５５】
湯水生成タンク１１に貯留された湯水の量が所定の閾値（例えば、５００ｃｃ）に達したら、湯水供給バルブ１２ａが閉じられて、湯水供給路１２から湯水生成タンク１１への湯水の供給が停止される。湯水生成タンク１１に貯留された湯水の温度が設定値（例えば、６０℃）に達したら、蒸気・湯水併給装置１における湯水供給の準備プロセスが完了する。以降、所定の温度の湯水（例えば、６０℃）を洗浄装置２へ供給できるよう、湯水生成タンク１１に貯留された湯水の温度は、湯水加熱部１４への適宜の通電により、設定値（例えば、６０℃）に保たれる。湯水の温度の設定値は、図示しない操作部からの操作や、後述する洗浄装置２の温度制御部Ｃ２２からの信号により変更される。
【００５６】
（蒸気生成部での蒸気の生成）
洗浄システム１００が起動されると、洗浄装置２に蒸気が供給可能な状態とすべく、蒸気生成部２０での蒸気の生成が開始される。まず連結供給バルブ３０ａが開かれて、連結供給路３０を通じて湯水生成タンク１１から蒸気生成タンク２１へ湯水が供給される。制御部Ｃ１が、蒸気生成タンク２１に供給されて貯留される湯水の量および温度を水量センサＲ２および温度センサＴ２により検出・監視する。貯留された湯水の温度が所定の閾値温度（例えば、４０℃）よりも低い場合、蒸気用湯水排出バルブ２３ａが開かれて、蒸気用湯水排出路２３から湯水が排出される。
【００５７】
蒸気生成タンク２１に貯留された湯水の温度が所定の閾値温度（例えば、４０℃）よりも高くなると、蒸気用湯水排出バルブ２３ａが閉じられて、蒸気用湯水排出路２３からの湯水の排出が停止される。そして蒸気用湯水ヒータ２４に通電が開始されて、蒸気生成タンク２１の内部の湯水の加熱が開始される。
【００５８】
なお蒸気用湯水ヒータ２４による湯水の加熱は、蒸気用湯水供給路２２から蒸気生成タンク２１への湯水の供給が開始された時点で、開始してもよい。
【００５９】
蒸気生成タンク２１に貯留された湯水の量が所定の閾値（例えば、５００ｃｃ）に達したら、蒸気用湯水供給バルブ２２ａが閉じられて、連結供給路３０から蒸気生成タンク２１への湯水の供給が停止される。蒸気生成タンク２１に貯留された湯水の温度が所定の温度（例えば、１３０℃）に達したら、蒸気・湯水併給装置１における蒸気供給の準備プロセスが完了する。本実施形態では、蒸気生成タンク２１から後述する蒸気噴射バルブ５３までの間の装置間蒸気供給路６が、高温高圧（１３０℃、３気圧程度）の蒸気で満たされる。以降、蒸気を洗浄装置２へ供給できるよう、蒸気生成タンク２１に貯留された湯水の温度は、蒸気用湯水ヒータ２４への適宜の通電により、所定の温度（例えば、１３０℃）に保たれる。
【００６０】
（洗浄装置への湯水および蒸気の供給）
洗浄装置２から湯水供給の信号を受けると、制御部Ｃ１が装置間湯水供給ポンプ５ａを動作させ、装置間湯水供給路５を通じて湯水生成タンク１１の内部の湯水を洗浄装置２へ送出する。制御部Ｃ１は、湯水生成タンク１１に貯留された湯水の量および温度を水量センサＲ１および温度センサＴ１により監視して、湯水の量と温度が設定値（例えば、４００ｃｃと６０℃）に保たれるように、湯水供給バルブ１２ａの開閉および開度、および湯水加熱部１４への通電を制御する。
【００６１】
洗浄装置２への蒸気の供給に関して、本実施形態では後述の通り、洗浄装置２の内部に蒸気の噴射・停止を制御する蒸気噴射バルブ５３が設けられている。よって、洗浄装置２で蒸気噴射バルブ５３が開かれると、装置間蒸気供給路６を通じて蒸気生成タンク２１の内部の蒸気が洗浄装置２へ送出される。
【００６２】
制御部Ｃ１は、蒸気生成タンク２１に貯留された湯水の量および温度を水量センサＲ２および温度センサＴ２により監視して、湯水の量と温度が設定値（例えば、４００ｃｃと１３０℃）に保たれるように、蒸気用湯水ヒータ２４への通電と、連結供給路３０を通じての湯水生成タンク１１から蒸気生成タンク２１への湯水の供給を制御する。具体的には、連結供給ポンプ３０ｂを動作させ、連結供給バルブ３０ａを開弁して、湯水生成タンク１１に貯留された湯水を蒸気生成タンク２１へ供給する。即座の蒸気供給が可能なように、蒸気生成タンク２１の内部は高温（例えば、１３０℃）に保たれ蒸気が充満しているから、蒸気生成タンク２１の内部の圧力は湯水生成タンク１１の内部の圧力よりも高い。従って連結供給路３０によって湯水生成タンク１１から蒸気生成タンク２１へ湯水を供給するために、連結供給路３０に配置した連結供給ポンプ３０ｂを稼働させることで、両タンクの圧力差に抗して湯水を供給することができる。
【００６３】
制御部Ｃ１は、洗浄装置２へ供給した累積の蒸気の量を監視し、供給した蒸気の量の累積量（積算量）が所定の閾値（例えば、３Ｌ）を越えた場合、蒸気用湯水排出バルブ２３ａを開いて、蒸気生成タンク２１の内部に貯留された湯水を蒸気用湯水排出路２３から排出する。これにより、湯水の蒸発により濃縮された炭酸カルシウム等の析出を抑制することができる。なお洗浄装置２へ供給した累積の蒸気の量は、種々の手法により把握することができる。例えば、洗浄装置２の蒸気噴射バルブ５３の開度と蒸気の噴射時間に基づく算出、連結供給路３０からの湯水の供給量に基づく推定、すなわち連結供給バルブ３０ａの開度および開時間と連結供給ポンプ３０ｂによる送出量に基づく算出などが可能である。
【００６４】
（洗浄システム１００の停止）
洗浄システム１００の停止が指示されると、制御部Ｃ１は以下の処理を行う。湯水加熱部１４および蒸気用湯水ヒータ２４への通電と、装置間湯水供給ポンプ５ａおよび連結供給ポンプ３０ｂの動作を停止する。湯水供給バルブ１２ａ、湯水排出バルブ１３ａ、蒸気用湯水供給バルブ２２ａ、蒸気用湯水排出バルブ２３ａ、および連結供給バルブ３０ａを閉じる。
【００６５】
また制御部Ｃ１は、洗浄システム１００の停止指示から所定の時間（例えば、１時間）が経過すると、蒸気用湯水排出バルブ２３ａを開いて蒸気生成タンク２１に貯留された湯水を蒸気用湯水排出路２３を通じて排出する。これにより、湯水の蒸発により濃縮された炭酸カルシウム等の析出を抑制することができる。なお、蒸気生成タンク２１の湯水を排出したら、洗浄装置２へ供給した蒸気の量の積算量をゼロとし、次に洗浄装置２へ蒸気を供給した際に改めて積算を開始する。
【００６６】
（蒸気・湯水併給装置のまとめ）
以上述べた通り蒸気と湯水とを消費端末に供給する蒸気・湯水併給装置１は、供給された湯水を加熱して蒸気を生成し、生成した蒸気を洗浄装置２へ供給する蒸気生成部２０と、供給された湯水を加熱して洗浄装置２へ供給する湯水生成部１０とを有する。
【００６７】
これにより、例えば洗浄装置２で蒸気を使用中に、蒸気から湯水に切り換える必要が生じた場合、湯水生成部１０から即時に湯水を供給することができる。湯水から蒸気に切り換える場合も同様である。また洗浄装置２で蒸気と湯水とを同時に使用する場合には、蒸気生成部２０から蒸気を供給し、湯水生成部１０から湯水を供給することができる。すなわち、洗浄装置２において蒸気と湯水との迅速な切り換え、あるいは蒸気と湯水との同時使用を実現することができる。なお以上の説明では、洗浄対象物Ｗを洗浄する場合を例に挙げたが、洗浄装置２としては種別や用途を問わず、蒸気と湯水とを消費するものであれば、蒸気・湯水併給装置１を適用可能である。
【００６８】
また蒸気・湯水併給装置１は、湯水生成部１０で加熱された湯水を蒸気生成部２０へ供給する連結供給路３０を有する。
【００６９】
これにより、蒸気生成部２０の温度が低い際に、湯水生成部１０で加熱された湯水を用いることで蒸気の生成を迅速に行うことができる。また、蒸気生成部２０の湯水が減少して補充が必要な場合には、湯水生成部１０で加熱された湯水を供給することで、蒸気生成部２０の温度の低下を抑制できる。すなわち、蒸気生成部２０の温度上昇の補助または温度低下の抑制を行うことができる。
【００７０】
また蒸気・湯水併給装置１の湯水生成部１０は、湯水を貯留して加熱する湯水加熱槽（湯水生成タンク１１）と、湯水加熱槽へ湯水を供給する湯水供給路１２と、湯水加熱槽から湯水を排出する湯水排出路１３とを有し、湯水供給路１２から湯水加熱槽へ湯水の供給を受ける際、湯水加熱槽の内部の湯水の温度が所定の閾値よりも低い場合に、湯水排出路１３により湯水加熱槽から湯水を排出する。
【００７１】
これにより、湯水加熱槽（湯水生成タンク１１）の温度を迅速に上昇させ、湯水生成部１０からの湯水の供給を迅速に行うことが可能となる。
【００７２】
また蒸気・湯水併給装置１の蒸気生成部２０は、湯水を貯留して加熱し蒸気を生成する蒸気生成タンク２１と、蒸気生成タンク２１へ湯水を供給する蒸気用湯水供給路２２と、蒸気生成タンク２１から湯水を排出する蒸気用湯水排出路２３とを有し、蒸気用湯水供給路２２から蒸気生成タンク２１へ湯水の供給を受ける際、蒸気生成タンク２１の内部の湯水の温度が所定の閾値よりも低い場合に、蒸気用湯水排出路２３により蒸気生成タンク２１から湯水を排出する。
【００７３】
これにより、蒸気生成タンク２１の温度を迅速に上昇させ、蒸気生成部２０からの湯水の供給を迅速に行うことが可能となる。
【００７４】
また蒸気・湯水併給装置１は、蒸気生成部２０から湯水を排出する蒸気用湯水排出路２３を有し、洗浄装置２への蒸気の累積の供給量が所定の閾値を超えた場合に、蒸気用湯水排出路２３により蒸気生成部２０の内部の湯水を排出する。
【００７５】
蒸気生成部２０では供給された湯水が沸騰し、蒸気として洗浄装置２へ供給されるので、供給された湯水に含まれる不純物、例えば炭酸カルシウム等が濃縮される。上記の構成によれば、洗浄装置２への蒸気の供給量が所定の閾値を超えた場合に、蒸気用湯水排出路２３により蒸気生成部２０の内部の湯水を排出するから、不純物が濃縮された湯水が排出されるので、蒸気生成部２０に不純物が析出することを抑制できる。従って、蒸気生成部２０のメンテナンス頻度を低くでき、あるいは蒸気生成部２０の衛生性・耐久性を高めることができる。
【００７６】
また蒸気・湯水併給装置１では、蒸気生成部２０と湯水生成部１０の少なくとも何れか一方に、水道水を加熱して生成された湯が供給される。
【００７７】
これにより、蒸気生成部２０からの蒸気の供給を迅速に開始することができ、あるいは湯水生成部１０からの湯水の供給を迅速に開始することができる。
【００７８】
（洗浄装置）
次に図３を参照して、本実施形態に係る洗浄装置２について説明する。
【００７９】
洗浄装置２は、湯水噴射口４１と蒸気噴射口５１と洗浄装置制御部Ｃ２とを有し、蒸気・湯水併給装置１から蒸気と湯水との供給を受け、湯水を湯水噴射口４１から、蒸気を蒸気噴射口５１から、それぞれ噴射することができる。また洗浄装置２は、洗剤噴射口６１および送風口７１とを有し、洗剤を洗剤噴射口６１から噴射し、送風口７１から風を吹き出すことができる。
【００８０】
洗浄装置制御部Ｃ２は、噴射制御部Ｃ２１と温度制御部Ｃ２２とを有し、洗浄装置２からの湯水、蒸気および洗剤の噴射の開始および停止、送風の開始および停止、噴射される湯水の温度の制御を行う。洗浄装置制御部Ｃ２は、演算装置や記憶装置等により構成される。
【００８１】
本実施形態に係る洗浄装置２は、ピストル様の形状であり、その先端に先端ノズルＮが配置され、後端に接続管４が接続され、グリップにあたる把持部位Ｈに噴射操作部８０と温度操作部８２とが配置されている。
【００８２】
先端ノズルＮには、上述の湯水噴射口４１および蒸気噴射口５１に加え、洗剤噴射口６１および送風口７１が形成されている。先端ノズルＮは、広角ノズルやブラシなど、種々のアタッチメントが取り付け可能に構成されている。先端ノズルＮの上側には、ヘラ部Ｓが形成されている。ヘラ部Ｓは、例えばゴム製のヘラ状の部材であり、洗浄対象物Ｗの表面をこすって汚れ等をこそげ落とすことが可能である。
【００８３】
湯水噴射口４１には、湯水噴射路４２が接続されている。湯水噴射路４２には、装置間湯水供給路５が接続されている。以上の構成により、蒸気・湯水併給装置１から供給された湯水が、装置間湯水供給路５と湯水噴射路４２とを通って、湯水噴射口４１から噴射される。湯水噴射路４２には湯水噴射バルブ４３が設けられている。湯水噴射バルブ４３は、噴射制御部Ｃ２１によって制御され、開閉および開度調整により湯水噴射口４１からの湯水の噴射の開始、停止および強度（例えば流量、流速等、以下同じ）を制御する。
【００８４】
蒸気噴射口５１には、蒸気噴射路５２が接続されている。蒸気噴射路５２には、装置間蒸気供給路６が接続されている。以上の構成により、蒸気・湯水併給装置１から供給された蒸気が、装置間蒸気供給路６と蒸気噴射路５２とを通って、蒸気噴射口５１から噴射される。蒸気噴射路５２には蒸気噴射バルブ５３が設けられている。蒸気噴射バルブ５３は、噴射制御部Ｃ２１によって制御され、開閉および開度調整により、蒸気噴射口５１からの蒸気の噴射の開始、停止および強度（例えば流量、流速等、以下同じ）を制御する。
【００８５】
洗剤噴射口６１には、洗剤噴射路６２が接続されている。洗剤噴射路６２には、上述した洗剤タンク６４が接続されている。洗剤タンク６４には、洗剤が貯留される。以上の構成により、洗剤タンク６４から供給された洗剤が、洗剤噴射路６２とを通って、洗剤噴射口６１から噴射される。洗剤噴射路６２には洗剤噴射ポンプ６３が設けられている。洗剤噴射ポンプ６３は、噴射制御部Ｃ２１によって制御され、稼働／停止および送出量の調整により、洗剤噴射口６１からの洗剤の噴射の開始、停止および強度（例えば流量、流速等、以下同じ）を制御する。
【００８６】
送風口７１には、送風路７２が接続されている。送風路７２には、ブロア７３が接続されている。ブロア７３は、噴射制御部Ｃ２１によって制御され、稼働／停止および送風量の調整により、送風口７１からの送風の開始、停止および強度（例えば風量・風速等、以下同じ）を制御する。なお、ブロア７３に換えてファンを配置してもよい。
【００８７】
噴射操作部８０は、本実施形態では押しボタン式の４つのスイッチを有し、それぞれが湯水、蒸気、洗剤および送風の操作に用いられる。操作の態様は種々の形態が可能であるが、本実施形態では、スイッチを１回押すと噴射（送風）が開始し、２回押すと噴射（送風）が強くなり、３回押すと噴射（送風）が停止する。噴射操作部８０は、洗浄装置制御部Ｃ２の噴射制御部Ｃ２１に接続されており、受け付けた操作を信号として噴射制御部Ｃ２１へ送信する。すなわち噴射操作部８０は、蒸気噴射口５１からの蒸気の噴射の開始、停止および強度の操作と、湯水噴射口４１からの湯水の噴射の開始、停止および強度の操作と、洗剤噴射口６１からの洗剤の噴射の開始、停止および強度の操作と、送風口７１からの送風の開始、停止および強度の操作とを受け付けるスイッチである。
【００８８】
洗浄装置２は、噴射操作部８０に加えて、洗浄装置２の使用者が足で操作するフットスイッチ８１を有する。フットスイッチ８１は、本実施形態では押しボタン式の４つのスイッチを有し、それぞれが湯水、蒸気、洗剤および送風の操作に用いられる。操作の態様は種々の形態が可能であるが、本実施形態では、スイッチを１回押すと噴射（送風）が開始し、２回押すと噴射（送風）が強くなり、３回押すと噴射（送風）が停止する。フットスイッチ８１は、有線通信または無線通信により洗浄装置制御部Ｃ２の噴射制御部Ｃ２１に接続されており、受け付けた操作を信号として噴射制御部Ｃ２１へ送信する。すなわちフットスイッチ８１は、蒸気噴射口５１からの蒸気の噴射の開始、停止および強度の操作と、湯水噴射口４１からの湯水の噴射の開始、停止および強度の操作と、洗剤噴射口６１からの洗剤の噴射の開始、停止および強度の操作と、送風口７１からの送風の開始、停止および強度の操作とを受け付けるスイッチである。
【００８９】
温度操作部８２は、湯水噴射口４１から噴射する湯水の温度の操作を受け付ける。本実施形態では、タッチパネル式の操作表示器として構成され、使用者からの操作として湯水温度の設定操作、洗浄システム１００の運転開始・運転モード変更・運転停止の操作等を受け付ける。温度操作部８２は、現在の湯水温度の設定値、現在の洗浄システム１００の運転状態等を表示する。そして温度操作部８２は、受け付けた操作を信号として洗浄装置制御部Ｃ２（温度制御部Ｃ２２）へ送信する。
【００９０】
温度制御部Ｃ２２は、温度操作部８２からの信号に応じて、湯水噴射口４１から噴射する湯水の温度を制御する機能を有する。本実施形態では、温度操作部８２は、蒸気・湯水併給装置１の制御部Ｃ１に対して、洗浄装置２に供給する湯水の温度を変更する旨の信号を送信する。そして信号を受けた制御部Ｃ１は、上述した湯水生成部１０の温度制御の設定温度を変更する。
【００９１】
（洗浄装置のまとめ）
以上述べた通り洗浄装置２は、蒸気噴射路５２と、蒸気噴射口５１と、湯水噴射路４２と、湯水噴射口４１とを有し、蒸気噴射路５２は、蒸気噴射口５１に蒸気を供給し、蒸気噴射口５１は、供給された蒸気を洗浄対象物Ｗに向けて噴射し、湯水噴射路４２は、湯水噴射口４１に湯水を供給し、
湯水噴射口４１は、供給された湯水を洗浄対象物Ｗに向けて噴射する。
【００９２】
これにより、洗浄装置２から洗浄対象物Ｗに対して蒸気と湯水の両方を噴出させることができる。そうすると、一つの洗浄装置２によって、蒸気で洗浄対象物Ｗから浮き上がらせた汚れ等を、湯水により洗浄対象物Ｗから洗い流すことが可能となる。従って、洗浄対象物Ｗの洗浄における作業効率をさらに高めることができる。
【００９３】
洗浄装置２は、蒸気噴射口５１からの蒸気の噴射の開始および停止の操作と、湯水噴射口４１からの湯水の噴射の開始および停止の操作とを受け付ける噴射操作部８０と、噴射操作部８０からの操作に基づく信号に応じて、蒸気噴射口５１からの蒸気の噴射の開始および停止と、湯水噴射口４１からの湯水の噴射の開始および停止とを制御する噴射制御部Ｃ２１とを有する。
【００９４】
これにより、洗浄装置２の使用者が洗浄対象物Ｗに対する蒸気と湯水の噴出を自在に制御することが可能となり、洗浄対象物Ｗの洗浄における作業効率をさらに高めることができる。
【００９５】
洗浄装置２は、使用者が把持する部位である把持部位Ｈを有し、噴射操作部８０が把持部位Ｈに配置されている。
【００９６】
これにより洗浄装置２の使用者は、洗浄装置２を把持する手で噴射操作部８０を操作することが可能となり、洗浄対象物Ｗの洗浄における作業効率をさらに高めることができる。
【００９７】
洗浄装置２は、洗浄装置２の使用者が足で操作するフットスイッチ８１を有する。フットスイッチ８１は、噴射操作部８０と同様の機能を有する。
【００９８】
これにより、洗浄装置２の使用者はフットスイッチ８１を足で操作して蒸気および湯水の噴射を制御することができ、洗浄対象物Ｗの洗浄における作業効率をさらに高めることができる。
【００９９】
洗浄装置２においては、噴射操作部８０が、蒸気噴射口５１からの蒸気の噴射の強度の操作を受け付けて、噴射制御部Ｃ２１が、噴射操作部８０からの操作に基づく信号に応じて、蒸気噴射口５１からの蒸気の噴射の強度を制御する。
【０１００】
これにより、洗浄装置２の使用者が噴射操作部８０を操作することで蒸気噴射口５１からの蒸気の噴射の強度を操作することができるから、蒸気の噴射の強度を容易に変更することができ、洗浄対象物Ｗの洗浄における作業効率をさらに高めることができる。
【０１０１】
洗浄装置２は、噴射操作部８０が、湯水噴射口４１からの湯水の噴射の強度の操作を受け付けて、噴射制御部Ｃ２１が、噴射操作部８０からの操作に基づく信号に応じて、湯水噴射口４１からの湯水の噴射の強度を制御する。
【０１０２】
これにより、洗浄装置２の使用者が噴射操作部８０を操作することで湯水噴射口４１からの湯水の噴射の強度を操作することができるから、湯水の噴射の強度を容易に変更することができ、洗浄対象物Ｗの洗浄における作業効率をさらに高めることができる。
【０１０３】
洗浄装置２は、供給された洗剤を洗浄対象物Ｗに向けて噴射する洗剤噴射口６１を有する。
【０１０４】
これにより、洗浄装置２から洗浄対象物Ｗに対して蒸気と湯水と洗剤とを噴出させることができる。従って洗浄対象物Ｗの汚れを洗剤を用いて除去することが容易になり、洗浄対象物Ｗの洗浄における作業効率をさらに高めることができる。
【０１０５】
洗浄装置２は、湯水噴射口４１から噴射する湯水の温度の操作を受け付ける温度操作部８２と、温度操作部８２からの操作に基づく信号に応じて、湯水噴射口４１から噴射する湯水の温度を制御する温度制御部Ｃ２２とを有する。
【０１０６】
これにより、洗浄装置２の使用者が洗浄対象物Ｗに噴射する湯水の温度を自在に制御することが可能となり、洗浄対象物Ｗの洗浄における作業効率をさらに高めることができる。
【０１０７】
（第２実施形態）
上述の第１実施形態では、湯水生成部１０が湯水生成タンク１１を有し、湯水生成タンク１１の内部に貯留された湯水を湯水加熱部１４で加熱することにより、洗浄装置２へ供給する湯水を生成していた。湯水生成タンク１１に換えて熱交換器９０により、洗浄装置２へ供給する湯水を生成するよう構成することが可能である。以下の第２実施形態の説明では、第１実施形態と同様の構成については同じ符号を付し、説明を省略する場合がある。
【０１０８】
湯水生成部１０は、湯水加熱槽としての熱交換器９０を有する。そして熱交換器９０に、暖房湯水路９１と、湯水供給路１２と、装置間湯水供給路５とが接続されている。湯水供給路１２には、例えばコージェネレーション装置やボイラ等において水道水を加熱して生成された湯が供給される。暖房湯水路９１には、例えばコージェネレーション装置やボイラ等から、床暖房装置等で用いるために湯水供給路１２の湯よりも高温の暖房水が供給される。熱交換器９０は、暖房湯水路９１を通流する暖房水の熱を、湯水供給路１２から供給された湯に与えて加熱し、加熱された湯水を装置間湯水供給路５へ通流させる。
【０１０９】
装置間湯水供給路５には、連結供給路３０が接続されている。本実施形態では、湯水生成部１０（熱交換器９０）から装置間湯水供給路５への湯水の送出は、湯水供給路１２からの送水の圧力、すなわち直圧によりなされる。
【０１１０】
本実施形態では、蒸気生成タンク２１に蒸気用湯水供給路２２が接続されている。蒸気用湯水供給路２２は、図示しない外部の給湯装置からの湯水を、蒸気生成タンク２１に供給する。すなわち蒸気生成部２０の蒸気生成タンク２１には、ガスコージェネレーション装置等の給湯装置によって、水道水を加熱して生成された湯（例えば、４０℃の湯）が供給される。蒸気用湯水供給路２２には、蒸気用湯水供給バルブ２２ａが配置されている。蒸気用湯水供給バルブ２２ａは、制御部Ｃ１によって制御され、開閉および開度調整により蒸気生成タンク２１への湯水の供給を制御する。すなわち本実施形態では、蒸気生成タンク２１への湯水の供給は、連結供給路３０に加えて、蒸気用湯水供給路２２からも行うことができる。
【０１１１】
以上の構成により第２実施形態に係る湯水生成部１０は、熱交換器９０により加熱した湯水を、装置間湯水供給路５を通じて洗浄装置２へ供給し、連結供給路３０を通じて蒸気生成部２０へ供給することができる。
【０１１２】
（他の実施形態）
（１）上述の実施形態では、洗浄システム１００において蒸気・湯水併給装置１に制御部Ｃ１を設け、洗浄装置２に洗浄装置制御部Ｃ２（噴射制御部Ｃ２１、温度制御部Ｃ２２）を設けた。これらの制御部の機能を統合した一つの制御部を蒸気・湯水併給装置１または洗浄装置２に設けてもよい。
【０１１３】
（２）上述の実施形態では、噴射操作部８０が４つのボタンを有し、それぞれのボタンが湯水、蒸気、洗剤および送風の操作に用いられる例を説明した。これを改変し、湯水または蒸気の噴射／停止を操作するボタンと、湯水と蒸気を切り換えるスイッチとによって噴射操作部８０を構成してもよい。
【０１１４】
（３）上述の実施形態では、湯水加熱部１４として熱交換器を例示したが、湯水の加熱が可能であれば、ガスによる加熱や、電気ヒータにより構成してもよい。
【０１１５】
（４）上述の実施形態では、蒸気用湯水ヒータ２４は通電により発熱する電気ヒータであるとして説明したが、湯水の加熱が可能であれば、ガスによる加熱や、熱交換による加熱を行うヒータにより構成してもよい。
【０１１６】
（５）上述の実施形態では、湯水生成部１０と蒸気生成部２０との間に連結供給路３０が設けられたが、連結供給路３０を設けない形態も可能である。この場合、湯水生成部１０と蒸気生成部２０にはそれぞれ別の供給路から湯水が供給されて加熱される。
【０１１７】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１１８】
１        ：湯水併給装置
２        ：洗浄装置
３        ：筐体
４        ：接続管
５        ：装置間湯水供給路
６        ：装置間蒸気供給路
７        ：断熱材
４１      ：湯水噴射口
４２      ：湯水噴射路
５１      ：蒸気噴射口
５２      ：蒸気噴射路
６１      ：洗剤噴射口
８０      ：噴射操作部
８１      ：フットスイッチ
８２      ：温度操作部
１００    ：洗浄システム
Ｃ２１    ：噴射制御部
Ｃ２２    ：温度制御部
Ｈ        ：把持部位
Ｐ１      ：収納位置
Ｐ２      ：使用位置
Ｗ        ：洗浄対象物
【図１】
2017140599.tif 000003
【図２】
2017140599.tif 000004
【図３】
2017140599.tif 000005
【図４】
2017140599.tif 000006